【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）によって、第２の基地局によって送信された１つまたは複数のビームのビームパラメータの測定を実行することと、
第１の基地局に、前記ビームパラメータの前記測定を示す測定報告を送信することと、
前記ＵＥによって、前記第２の基地局からのダウンリンクビームを監視するための時間ウィンドウを示す時間ウィンドウメッセージを前記第１の基地局から受信することと、ここにおいて、前記時間ウィンドウは、前記ＵＥによる測定に少なくとも部分的に基づく、
前記時間ウィンドウメッセージを受信することに少なくとも部分的に基づいて前記時間ウィンドウ中に前記第２の基地局からの前記ダウンリンクビームを監視することと、ここにおいて、前記第２の基地局からの前記ダウンリンクビームを監視することは、デュアル接続性プロシージャの一部として実行される、
を備える、方法。
【請求項２】
前記デュアル接続性プロシージャにおいて、前記第１の基地局がマスタ基地局であり、前記第２の基地局が２次基地局である、請求項１に記載の方法。
【請求項３】
測定すべき前記１つまたは複数のビームの前記ビームパラメータを示す測定メッセージを前記第１の基地局から受信することと、
前記測定メッセージを受信することに少なくとも部分的に基づいて前記ビームパラメータを含む前記測定報告を送信することと、ここにおいて、前記時間ウィンドウメッセージを受信することは、前記測定報告の送信に少なくとも部分的に基づく、
をさらに備える、請求項１に記載の方法。
【請求項４】
前記ダウンリンクビームを監視することに少なくとも部分的に基づいてビームペアリンクを確立すること
をさらに備える、請求項３に記載の方法。
【請求項５】
前記時間ウィンドウメッセージを受信することに少なくとも部分的に基づいて、同期信号ブロックが受信された受信ビームを使用して前記ダウンリンクビームについて監視するために１つまたは複数のスロットを識別すること、ここにおいて、前記ダウンリンクビームを監視することが、前記１つまたは複数のスロットを識別することに少なくとも部分的に基づく、
をさらに備える、請求項３に記載の方法。
【請求項６】
前記測定メッセージを受信することに少なくとも部分的に基づいて前記１つまたは複数のビームの前記ビームパラメータを測定すること、ここにおいて、前記測定報告を送信することが、前記ビームパラメータを測定することに少なくとも部分的に基づく、
をさらに備える、請求項３に記載の方法。
【請求項７】
前記測定メッセージを受信することに少なくとも部分的に基づいて単一の受信ビームを使用して前記１つまたは複数のビームの各々の前記ビームパラメータを測定することと、
前記１つまたは複数のビームの各々の前記ビームパラメータを測定することに少なくとも部分的に基づいて前記１つまたは複数のビームのうちの少なくとも１つのビームのビームインデックスを識別することと、ここにおいて、前記測定報告を送信することが、前記ビームインデックスを識別することに少なくとも部分的に基づく、
をさらに備える、請求項３に記載の方法。
【請求項８】
前記ダウンリンクビームを監視することに少なくとも部分的に基づいて決定された送信ビームを使用して第３のメッセージを送信すること
をさらに備え
前記第３のメッセージが、ランダムアクセスチャネル（ＲＡＣＨ）メッセージ、サウンディング基準信号（ＳＲＳ：sounding reference signal）、またはスケジューリング要求（ＳＲ）である、請求項３に記載の方法。
【請求項９】
前記測定メッセージが、デュアル接続性通信リンクを確立すべき前記第２の基地局を示し、前記１つまたは複数のビームが、前記第１の基地局とは異なる前記第２の基地局に関連付けられる、請求項３に記載の方法。
【請求項１０】
前記１つまたは複数のビームが、前記第２の基地局に関連付けられた同期信号ビームまたは前記第２の基地局に関連付けられたチャネル状態情報基準信号（ＣＳＩ−ＲＳ）ビームである、請求項３に記載の方法。
【請求項１１】
前記ダウンリンクビームが、物理ダウンリンク制御チャネル（ＰＤＣＣＨ）ビームであり、
前記第２の基地局のＵＬ送信が、前記ダウンリンクビームに基づく、請求項３に記載の方法。
【請求項１２】
前記測定報告が、ビームインデックス、受信信号受信電力（ＲＳＲＰ）測定値、受信信号受信品質（ＲＳＲＱ）測定値、受信信号強度インジケータ（ＲＳＳＩ）測定値、信号対干渉雑音比（ＳＩＮＲ）測定値、またはそれらの組合せを含む、請求項３に記載の方法。
【請求項１３】
ワイヤレス通信のための方法であって、
マスタ基地局からのバックホールメッセージに応答して、複数の方向に複数のダウンリンクビームを送信することと、
前記送信されたダウンリンクビームのうちの少なくとも１つに少なくとも部分的に基づいてユーザ機器（ＵＥ）からアップリンクメッセージを受信することと、
前記アップリンクメッセージを受信することに基づいて前記ＵＥとのタイミングアラインメントを決定することと、
前記タイミングアラインメントを決定することに少なくとも部分的に基づいてビームペアリンクを確立することと
を備える、方法。
【請求項１４】
ワイヤレス通信のための装置であって、
ユーザ機器（ＵＥ）によって、第２の基地局からのダウンリンクビームを監視するための時間ウィンドウを示す時間ウィンドウメッセージを第１の基地局から受信するための手段と、ここにおいて、前記時間ウィンドウは、前記ＵＥによる測定に少なくとも部分的に基づく、
前記時間ウィンドウメッセージを受信することに少なくとも部分的に基づいて前記時間ウィンドウ中に前記第２の基地局からの前記ダウンリンクビームを監視するための手段と、ここにおいて、前記第２の基地局からの前記ダウンリンクビームを監視することは、デュアル接続性プロシージャの一部として実行される、
を備える、装置。
【請求項１５】
ワイヤレス通信のための装置であって、
マスタ基地局からのバックホールメッセージに応答して、複数の方向に複数のダウンリンクビームを送信するための手段と、
前記送信されたダウンリンクビームのうちの少なくとも１つに少なくとも部分的に基づいてユーザ機器（ＵＥ）からアップリンクメッセージを受信するための手段と、
前記アップリンクメッセージを受信することに基づいて前記ＵＥとのタイミングアラインメントを決定するための手段と、
前記タイミングアラインメントを決定することに少なくとも部分的に基づいてビームペアリンクを確立するための手段と
を備える、装置。
【手続補正２】
【補正対象書類名】明細書
【補正対象項目名】０１９８
【補正方法】変更
【補正の内容】
【０１９８】
[0205]  本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
以下に本願の出願当初の特許請求の範囲に記載された発明を付記する。
［Ｃ１］
ワイヤレス通信のための方法であって、
第２の基地局からのダウンリンクビームを監視するための時間ウィンドウを示す時間ウィンドウメッセージを第１の基地局から受信することと、
前記時間ウィンドウメッセージを受信することに少なくとも部分的に基づいて前記時間ウィンドウ中に前記第２の基地局からの前記ダウンリンクビームを監視することと、ここにおいて、前記第２の基地局からの前記ダウンリンクビームを監視することは、デュアル接続性プロシージャの一部として実行される、
を備える、方法。
［Ｃ２］
前記デュアル接続性プロシージャにおいて、前記第１の基地局がマスタ基地局であり、前記第２の基地局が２次基地局である、Ｃ１に記載の方法。
［Ｃ３］
測定すべき１つまたは複数のビームのビームパラメータを示す測定メッセージを前記第１の基地局から受信することと、
前記測定メッセージを受信することに少なくとも部分的に基づいて前記ビームパラメータを含む測定報告を送信することと、ここにおいて、前記時間ウィンドウメッセージを受信することは、前記測定報告の送信に少なくとも部分的に基づく、
をさらに備える、Ｃ１に記載の方法。
［Ｃ４］
前記ダウンリンクビームを監視することに少なくとも部分的に基づいてビームペアリンクを確立すること
をさらに備える、Ｃ３に記載の方法。
［Ｃ５］
前記時間ウィンドウメッセージを受信することに少なくとも部分的に基づいて、同期信号ブロックが受信された受信ビームを使用して前記ダウンリンクビームについて監視するために１つまたは複数のスロットを識別すること、ここにおいて、前記ダウンリンクビームを監視することが、前記１つまたは複数のスロットを識別することに少なくとも部分的に基づく、
をさらに備える、Ｃ３に記載の方法。
［Ｃ６］
前記測定メッセージを受信することに少なくとも部分的に基づいて１つまたは複数のビームの前記ビームパラメータを測定すること、ここにおいて、前記測定報告を送信することが、前記ビームパラメータを測定することに少なくとも部分的に基づく、
をさらに備える、Ｃ３に記載の方法。
［Ｃ７］
前記測定メッセージを受信することに少なくとも部分的に基づいて単一の受信ビームを使用して前記１つまたは複数のビームの各々の前記ビームパラメータを測定することと、
前記１つまたは複数のビームの各々の前記ビームパラメータを測定することに少なくとも部分的に基づいて前記１つまたは複数のビームのうちの少なくとも１つのビームのビームインデックスを識別することと、ここにおいて、前記測定報告を送信することが、前記ビームインデックスを識別することに少なくとも部分的に基づく、
をさらに備える、Ｃ３に記載の方法。
［Ｃ８］
前記ダウンリンクビームを監視することに少なくとも部分的に基づいて決定された送信ビームを使用して第３のメッセージを送信すること
をさらに備える、Ｃ３に記載の方法。
［Ｃ９］
前記第３のメッセージが、ランダムアクセスチャネル（ＲＡＣＨ）メッセージ、サウンディング基準信号（ＳＲＳ：sounding reference signal）、またはスケジューリング要求（ＳＲ）である、Ｃ８に記載の方法。
［Ｃ１０］
前記測定メッセージが、デュアル接続性通信リンクを確立すべき前記第２の基地局を示し、前記１つまたは複数のビームが、前記第１の基地局とは異なる前記第２の基地局に関連付けられる、Ｃ３に記載の方法。
［Ｃ１１］
前記１つまたは複数のビームが、前記第２の基地局に関連付けられた同期信号ビームまたは前記第２の基地局に関連付けられたチャネル状態情報基準信号（ＣＳＩ−ＲＳ）ビームである、Ｃ３に記載の方法。
［Ｃ１２］
前記ダウンリンクビームが、物理ダウンリンク制御チャネル（ＰＤＣＣＨ）ビームである、Ｃ３に記載の方法。
［Ｃ１３］
前記第２の基地局のＵＬ送信が、前記ダウンリンクビームに基づく、Ｃ１２に記載の方法。
［Ｃ１４］
前記測定報告が、ビームインデックス、受信信号受信電力（ＲＳＲＰ）測定値、受信信号受信品質（ＲＳＲＱ）測定値、受信信号強度インジケータ（ＲＳＳＩ）測定値、信号対干渉雑音比（ＳＩＮＲ）測定値、またはそれらの組合せを含む、Ｃ３に記載の方法。
［Ｃ１５］
ワイヤレス通信のための方法であって、
複数の方向に複数のダウンリンクビームを送信することと、
前記送信されたダウンリンクビームのうちの少なくとも１つに少なくとも部分的に基づいてユーザ機器（ＵＥ）からアップリンクメッセージを受信することと、
前記アップリンクメッセージを受信することに基づいて前記ＵＥとのタイミングアラインメントを決定することと、
前記タイミングアラインメントを決定することに少なくとも部分的に基づいてビームペアリンクを確立することと
を備える、方法。
［Ｃ１６］
前記ビームペアリンクが、デュアル接続性プロシージャの一部として確立される、Ｃ１５に記載の方法。
［Ｃ１７］
前記アップリンクメッセージが、ランダムアクセスチャネル（ＲＡＣＨ）メッセージである、Ｃ１５に記載の方法。
［Ｃ１８］
前記アップリンクメッセージが、スケジューリング要求（ＳＲ）である、Ｃ１５に記載の方法。
［Ｃ１９］
複数の同期信号ビームを送信すること、ここにおいて、前記アップリンクメッセージを受信することが、前記複数の同期信号ビームを送信することに少なくとも部分的に基づく、をさらに備える、Ｃ１５に記載の方法。
［Ｃ２０］
ワイヤレス通信のための装置であって、
第２の基地局からのダウンリンクビームを監視するための時間ウィンドウを示す時間ウィンドウメッセージを第１の基地局から受信するための手段と、
前記時間ウィンドウメッセージを受信することに少なくとも部分的に基づいて前記時間ウィンドウ中に前記第２の基地局からの前記ダウンリンクビームを監視するための手段と、ここにおいて、前記第２の基地局からの前記ダウンリンクビームを監視することは、デュアル接続性プロシージャの一部として実行される、
を備える、装置。
［Ｃ２１］
測定すべき１つまたは複数のビームのビームパラメータを示す測定メッセージを前記第１の基地局から受信するための手段と、
前記測定メッセージを受信することに少なくとも部分的に基づいて前記ビームパラメータを含む測定報告を送信するための手段と、ここにおいて、前記時間ウィンドウメッセージを受信することは、前記測定報告の送信に少なくとも部分的に基づく、
をさらに備える、Ｃ２０に記載の装置。
［Ｃ２２］
前記ダウンリンクビームを監視することに少なくとも部分的に基づいてビームペアリンクを確立するための手段
をさらに備える、Ｃ２１に記載の装置。
［Ｃ２３］
前記時間ウィンドウメッセージを受信することに少なくとも部分的に基づいて、同期信号ブロックが受信された受信ビームを使用して前記ダウンリンクビームについて監視するために１つまたは複数のスロットを識別するための手段、ここにおいて、前記ダウンリンクビームを監視することが、前記１つまたは複数のスロットを識別することに少なくとも部分的に基づく、
をさらに備える、Ｃ２１に記載の装置。
［Ｃ２４］
前記測定メッセージを受信することに少なくとも部分的に基づいて１つまたは複数のビームの前記ビームパラメータを測定するための手段、ここにおいて、前記測定報告を送信することが、前記ビームパラメータを測定することに少なくとも部分的に基づく、
をさらに備える、Ｃ２１に記載の装置。
［Ｃ２５］
前記測定メッセージを受信することに少なくとも部分的に基づいて単一の受信ビームを使用して前記１つまたは複数のビームの各々の前記ビームパラメータを測定するための手段と、
前記１つまたは複数のビームの各々の前記ビームパラメータを測定することに少なくとも部分的に基づいて前記１つまたは複数のビームのうちの少なくとも１つのビームのビームインデックスを識別するための手段と、ここにおいて、前記測定報告を送信することが、前記ビームインデックスを識別することに少なくとも部分的に基づく、
をさらに備える、Ｃ２１に記載の装置。
２
［Ｃ２６］
前記ダウンリンクビームを監視することに少なくとも部分的に基づいて決定された送信ビームを使用して第３のメッセージを送信するための手段
をさらに備える、Ｃ２１に記載の装置。
［Ｃ２７］
前記測定メッセージが、デュアル接続性通信リンクを確立すべき前記第２の基地局を示し、前記１つまたは複数のビームが、前記第１の基地局とは異なる前記第２の基地局に関連付けられる、Ｃ２１に記載の装置。
［Ｃ２８］
前記１つまたは複数のビームが、前記第２の基地局に関連付けられた同期信号ビームまたは前記第２の基地局に関連付けられたチャネル状態情報基準信号（ＣＳＩ−ＲＳ）ビームである、Ｃ２１に記載の装置。
［Ｃ２９］
前記ダウンリンクビームが、物理ダウンリンク制御チャネル（ＰＤＣＣＨ）ビームである、Ｃ２１に記載の装置。
［Ｃ３０］
ワイヤレス通信のための装置であって、
複数の方向に複数のダウンリンクビームを送信するための手段と、
前記送信されたダウンリンクビームのうちの少なくとも１つに少なくとも部分的に基づいてユーザ機器（ＵＥ）からアップリンクメッセージを受信するための手段と、
前記アップリンクメッセージを受信することに基づいて前記ＵＥとのタイミングアラインメントを決定するための手段と、
前記タイミングアラインメントを決定することに少なくとも部分的に基づいてビームペアリンクを確立するための手段と
を備える、装置。